(57)【要約】      （修正有）【課題】薄膜コイルへの簡単な結線構造を有する安価で信頼性の高い光磁気ヘッドを提供することである。【解決手段】光磁気ヘッドであって、透明基板４と、透明基板４の第１面４ａに形成されたコイル６と、コイル６の第１端６ａ及び第２端にそれぞれ接続されるように透明基板４の側面に形成された一対の第１電極１０ａ，と、透明基板４の第２面４ｂに接着された対物レンズユニット１４を含んでいる。光磁気ヘッドは更に、対物レンズユニット１４が挿入される開口１３と、一対の導体パターン２２ａ，と、各導体パターンの一端部に形成された一対の第２電極２４ａ，を有し、透明基板４の第２面４ｂに接着されたフレキシブルプリント配線シート１２と、第１電極１０ａ，と第２電極２４ａ，を接続する一対の導電線２８ａ，を含んでいる。【選択図】        図１
2004227700.tif 000002
【特許請求の範囲】
【請求項１】
第１面、該第１面と反対側の第２面及び側面を有する透明基板と、
前記透明基板の第１面に形成された第１端及び第２端を有するコイルと、
前記コイルの第１端及び第２端にそれぞれ接続されるように前記透明基板の側面に設けられた一対の第１電極と、
前記透明基板の第２面に設けられた対物レンズユニットと、
前記対物レンズユニットが挿入される開口と、一対の導体パターンと、該各導体パターンの一端部に形成された一対の第２電極を有し、前記透明基板の第２面に設けられたフレキシブルプリント配線板シートと、
前記第１電極と前記第２電極を接続する一対の導電線と、
を具備したことを特徴とする光磁気ヘッド。
【請求項２】
前記導電線の各々は前記第１及び第２電極に溶接されている請求項１記載の光磁気ヘッド。
【請求項３】
光磁気ヘッドの組立方法であって、
第１端及び第２端を有するコイルが形成された第１面、該第１面と反対側の第２面及び側面を有する透明基板を用意し、
前記コイルの第１端及び第２端にそれぞれ接続されるように前記透明基板の側面に一対の第１電極を配置し、
前記透明基板の第２面に、開口と、一対の導体パターンと、該各導体パターンの一端部に形成された一対の第２電極を有するフレキシブルプリント配線シートを搭載し、
前記透明基板の第２面に前記フレキシブルプリント配線シートの開口を通して対物レンズユニットを配置し、
前記各第１電極と前記各第２電極に導電線を抵抗溶接する、
ステップを具備したことを特徴とする光磁気ヘッドの組立方法。
【請求項４】
光磁気記録媒体に記録された情報を少なくとも読み出し可能な光磁気記憶装置であって、
前記光磁気記録媒体にビームスポットを形成すると共に、磁界を印加可能な光磁気ヘッドと、
前記光磁気記録媒体で反射された反射光から再生信号を生成する光検出器とを具備し、
前記光磁気ヘッドは、
第１面、該第１面と反対側の第２面及び側面を有する透明基板と、
前記透明基板の第１面に形成された第１端及び第２端を有するコイルと、
前記コイルの第１端及び第２端にそれぞれ接続されるように前記透明基板の側面に設けられた一対の第１電極と、
前記透明基板の第２面に設けられた対物レンズユニットと、
前記対物レンズユニットが挿入される開口と、一対の導体パターンと、該各導体パターンの一端部に形成された一対の第２電極を有し、前記透明基板の第２面に設けられたフレキシブルプリント配線シートと、
前記第１電極と前記第２電極を接続する一対の導電線と、
を具備したことを特徴とする光磁気記憶装置。
【発明の詳細な説明】
【０００１】
【発明の属する技術分野】
本発明は、光磁気記録媒体にデータの記録及び／又は再生を行うための光磁気ヘッド及び該光磁気ヘッドを使用した光磁気記憶装置に関する。
【０００２】
【従来の技術】
最近の光磁気ディスク装置の光学ヘッドは、小型化を実現するため、レーザダイオード、レーザビームの反射及び透過を行うビームスプリッタ、光磁気ディスクからの反射光を受光する光検出器等を含んだ固定光学アセンブリと、キャリッジ及びキャリッジに取り付けられた対物レンズを有するアクチュエータを含んだ移動光学アセンブリとから構成される。
【０００３】
キャリッジはボイスコイルモータ（ＶＣＭ）により、一対のレールに沿って光磁気ディスクの半径方向に移動される。
【０００４】
固定光学アセンブリのレーザダイオードから出射されたライトパワーのレーザビームはコリメートレンズによりコリメートされた後、ビームスプリッタを透過し、アクチュエータのビーム立ち上げミラーのより反射されて、対物レンズにより光磁気ディスク上にフォーカスされ、光磁気ディスクにデータが書き込まれる。
【０００５】
一方、データの読み出しは、光磁気ディスクにリードパワーのレーザビームを照射することにより行われる。光磁気ディスクからの反射光は対物レンズによりコリメートビームにされた後、固定光学アセンブリのビームスプリッタにより反射され、この反射光が光検出器で検出されて電気信号に変換される。
【０００６】
近年、動画を含む画像情報などを取り扱う情報量の増大化に伴い、光磁気記録媒体（光磁気ディスク）への高密度記録を実現するために、集光されるビームスポットの形状が益々縮小化することが求められ、対物レンズの開口数（ＮＡ）は大きくなり、光磁気記録媒体との動作距離も短くなってきている。
【０００７】
対物レンズの開口数は、主として対物レンズの非球面単眼レンズの製造に制約があるため、１枚の対物レンズの高開口数化には限界がある。そこで、高開口数を達成するために２枚のレンズを用いた光磁気ヘッドが特開２０００−２０７７９７号公報に開示されている。
【０００８】
この公開公報に記載された光磁気ヘッドは、磁界変調によって記録する光磁気ディスク装置用の光磁気ヘッドであり、光磁気ディスクの記録層に対して光磁気ヘッドが直接対向するフロントイルミネーションタイプの光磁気ヘッドである。
【０００９】
磁界発生用の薄膜コイルを形成したガラス基板に対して、コイル形成面と反対側に第１レンズ及び第２レンズが順次位置決め固定されている。第１レンズ及び第２レンズで２群対物レンズを構成する。コイルは中心開口を有している。
【００１０】
レーザダイオード等の光源から出射されたレーザビームは、コリメートレンズによりコリメートビームにされ、ビーム立ち上げミラーを介して対物レンズへと導かれ、対物レンズにより集光された一定強度のレーザビームが光磁気ディスク上に照射される。
【００１１】
光磁気ディスク上へのレーザビームの照射と同時に、ガラス板上に形成されたコイルが書き込むべきデータで変調されて駆動され、磁界変調によって光磁気ディスク上にデータが書き込まれる。
【００１２】
一方、データの読み出しは、光磁気ディスクにリードパワーのレーザビームを照射することにより行われる。光磁気ディスクからの反射光は２群対物レンズによりコリメートビームにされた後、固定光学アセンブリのビームスプリッタにより反射され、この反射光が光検出器で検出されて電気信号に変換される。
【００１３】
【発明が解決しようとする課題】
上記公開公報に記載された光磁気ヘッドは、配線部材の表裏に形成された導電性パターンを介して薄膜コイルに電流を供給しており、電流供給手段の構造が非常に複雑になっている。これは配線部材を薄膜コイルで発生した熱を放熱するための放熱経路に利用しているためである。
【００１４】
よって、本発明の目的は、コイルへの電流供給用の配線の断線などの障害の起こりにくい簡単な配線構造を有する光磁気ヘッドを提供することである。
【００１５】
本発明の他の目的は、高密度記録に適した信頼性の高い光磁気ヘッドを有する光磁気記憶装置を提供することである。
【００１６】
【課題を解決するための手段】
本発明の一側面によると、第１面、該第１面と反対側の第２面及び側面を有する透明基板と、前記透明基板の第１面に形成された第１端及び第２端を有するコイルと、前記コイルの第１端及び第２端にそれぞれ接続されるように前記透明基板の側面に設けられた一対の第１電極と、前記透明基板の第２面に設けられた対物レンズユニットと、前記対物レンズユニットが挿入される開口と、一対の導体パターンと、該各導体パターンの一端部に形成された一対の第２電極を有し、前記透明基板の第２面に設けられたフレキシブルプリント配線板シートと、前記第１電極と前記第２電極を接続する一対の導電線と、を具備したことを特徴とする光磁気ヘッドが提供される。
【００１７】
好ましくは、対物レンズユニットは、透明基板の第２面に設けられたレンズホルダと、レンズホルダに保持された第１レンズと、透明基板の第２面に設けられた第２レンズを含んでいる。第１及び第２レンズの光軸はコイルの中心に実質上一致している。
【００１８】
好ましくは、導電線の各々は第１及び第２電極に溶接されている。この溶接は、例えば抵抗溶接等により行われる。好ましくは、導電線は金又は銅の何れかから形成されており、第１電極の各々はニッケル（Ｎｉ）から形成されている。
【００１９】
本発明の他の側面によると、光磁気ヘッドの組立方法であって、第１端及び第２端を有するコイルが形成された第１面、該第１面と反対側の第２面及び側面を有する透明基板を用意し、前記コイルの第１端及び第２端にそれぞれ接続されるように前記透明基板の側面に一対の第１電極を配置し、前記透明基板の第２面に、開口と、一対の導体パターンと、該各導体パターンの一端部に形成された一対の第２電極を有するフレキシブルプリント配線シートを搭載し、前記透明基板の第２面に前記フレキシブルプリント配線シートの開口を通して対物レンズユニットを配置し、前記各第１電極と前記各第２電極に導電線を抵抗溶接する、ステップを具備したことを特徴とする光磁気ヘッドの組立方法が提供される。
【００２０】
好ましくは、導電線の抵抗溶接ステップは、フレキシブルプリント配線板シートをガラス板の側面と実質上同一平面となるように折り曲げた状態で実施される。
【００２１】
更に好ましくは、導電線の抵抗溶接ステップは、ガラス板の第１面側の側面上に突き当て部材を載置し、導電線の一端部を突き当て部材に突き当てて実施する。
【００２２】
本発明の更に他の側面によると、光磁気記録媒体に記録された情報を少なくとも読み出し可能な光磁気記憶装置であって、前記光磁気記録媒体にビームスポットを形成すると共に、磁界を印加可能な光磁気ヘッドと、前記光磁気記録媒体で反射された反射光から再生信号を生成する光検出器とを具備し、前記光磁気ヘッドは、第１面、該第１面と反対側の第２面及び側面を有する透明基板と、前記透明基板の第１面に形成された第１端及び第２端を有するコイルと、前記コイルの第１端及び第２端にそれぞれ接続されるように前記透明基板の側面に設けられた一対の第１電極と、前記透明基板の第２面に設けられた対物レンズユニットと、前記対物レンズユニットが挿入される開口と、一対の導体パターンと、該各導体パターンの一端部に形成された一対の第２電極を有し、前記透明基板の第２面に設けられたフレキシブルプリント配線シートと、前記第１電極と前記第２電極を接続する一対の導電線と、を具備したことを特徴とする光磁気記憶装置が提供される。
【００２３】
【発明の実施の形態】
以下、図面を参照しながら本発明の実施形態を詳細に説明する。図１は本発明実施形態の光磁気ヘッド２の正面図であり、図２は図１の右側面図、図３は図１の左側面図をそれぞれ示している。
【００２４】
符号４は直方体形状のガラス板であり、第１面４ａと、第１面４ａと反対側で第１面と実質上平行に形成された第２面４ｂを有している。ガラス板４に替えて、透明な樹脂等から形成された透明基板も採用可能である。ガラス板４の第１面４ａには薄膜コイル６がスパイラル状又は同心円状に形成されている。コイル６は例えば銅から形成される。
【００２５】
コイル６はガラス板４の第１面４ａ上に公知の薄膜形成プロセスを順次実行することにより、形成することができる。薄膜形成プロセスは、形成すべきパターンを窓状に開けたフォトレジストを形成する工程、蒸着、スパッタリング、或いはめっき等により所望の材質によって上記窓状のパターンを埋める工程、フォトレジストを除去する工程等を含んでいる。
【００２６】
図２に示されるように、コイル６は第１端部６ａ及び第２端部６ｂを有しており、その中心には開口部８が形成されている。ガラス板４の側面には、コイル６の第１端部６ａ及び第２端部６ｂにそれぞれ接続された一対のコイル電極１０ａ，１０ｂが形成されている。これらのコイル電極１０ａ，１０ｂは例えばニッケル（Ｎｉ）から形成される。
【００２７】
ガラス板４の第２面４ｂにはフレキシブルプリント配線シート（ＦＰＣシート）１２が両面粘着テープ等により接着されている。ＦＰＣシート１２は例えばポリイミドフィルムから形成される。
【００２８】
図２に見られるように、ＥＰＣシート１２は一対の導体パターン２２ａ，２２ｂと、各導体パターン２２ａ，２２ｂの一端に接続されたＦＰＣ電極２４ａ，２４ｂと、導体パターン２２ａ，２２ｂの他端に形成された端子２６ａ，２２ｂを有している。
【００２９】
導体パターン２２ａ，２２ｂ，ＦＰＣ電極２４ａ，２４ｂ及び端子２６ａ，２６ｂは例えば銅（Ｃｕ）から形成されている。コイル電極１０ａとＦＰＣ電極２４ａは金リボン等の導電線２８ａにより接続されており、コイル電極１０ｂとＦＰＣ電極２４ｂは金リボン等の導電線２８ｂにより接続されている。金リボンに代えて、導電線として銅線を採用可能である。
【００３０】
ＦＰＣシート１２は円形開口１３を有しており、この円形開口１３を通して対物レンズユニット１４がガラス板４の第２面４ｂに接着されている。
【００３１】
対物レンズユニット１４は、ガラス板４の第２面４ｂに接着されたレンズホルダ１６と、レンズホルダ１６に接着されて保持されている第１レンズ１８と、ガラス板４の第２面４ｂに光学接着剤により接着された第２レンズ２０を含んでいる。なお、第２レンズ２０は透明基板に一体的に樹脂やガラスにより形成しても良い。
【００３２】
第１レンズ１８及び第２レンズ２０の光軸は実質上一致しており、更にこれらの光軸がコイル６の中心に実質上一致するように、対物レンズユニット１４がガラス板４の第２面４ｂに接着されている。
【００３３】
次に、コイル電極１０ａ，１０ｂとＦＰＣ電極２４ａ，２４ｂの接続方法について、図４及び図５を参照しながら詳細に説明する。
【００３４】
導電線を電極に固定する方法としては、半田付けが一般的に挙げられるが、半田融点温度における薄膜コイルや対物レンズユニット１４をガラス板４に接着する接着剤の耐熱性が問題となる。
【００３５】
また、半田付けを行うと、微細な半田粒がコイル面に付着する恐れがあり適切ではない。本発明では、導電線と電極の接続を、導電線と電極間の溶接抵抗で行うことによりこの問題を解消した。
【００３６】
まず、図４に示すように、ＦＰＣシート１２を約９０°に折り曲げ、コイル電力１０ａ，１０ｂとＦＰＣ電極２４ａ，２４ｂが概略同一平面上に来るようにする。
【００３７】
そして、Ｗ１，Ｗ２の２箇所で金リボン等の導電線２８ａをコイル電極１０ａ及びＦＰＣ電極２４ａに抵抗溶接する。同様に、金リボン等の導電線２８ｂをコイル電極１０ｂ及びＦＰＣ電極２４ｂに抵抗溶接する。
【００３８】
この抵抗溶接には、例えばハイソル社製の微細接合用抵抗溶接装置などの市販の装置を用いることができる。この抵抗溶接装置は、図５に示すように電極絶縁材３２で互いに絶縁された一対の溶接電極３０ａ，３０ｂを有している。
【００３９】
溶接電極３０ａ，３０ｂで導電線２８ａをコイル電極１０ａに所定圧力で押さえながら溶接電極３０ａ，３０ｂを電源に接続すると、図５の矢印３４で示すように溶接電流が流れ、導電線２８ａとコイル電極１０ａの接触部分で熱が発生し、この熱を利用して導電線２８ａとコイル電極１０ａを溶接することができる。符号３６が溶接部である。
【００４０】
ところで、導電線のコイル電極側の固定においては、導電線２８ａ，２８ｂの端部がガラス板４のコイル６が形成された面側に飛び出していると、本発明の光磁気ヘッド使用時に導電線端部が光磁気ディスク面に接触し、これを傷つけるおそれがある。
【００４１】
そこで、本発明の導電線接続方法では、導電線２８ａをガラス板４のコイル電極１０ａに位置決めする際に、導電線２８ａの端部をガラス板４上に形成したコイル６側に突出させないための突き当て部材３８を、ガラス板４の側面上において抵抗溶接を行うことにより、導電線端部がコイル面側に飛び出さない組立を可能とした。
【００４２】
本発明の実施形態では、導電線をコイル電極及びＦＰＣ電極に接続するのに抵抗溶接を採用しているため、以下のような効果がある。即ち、局所的昇温などで薄膜コイル６を熱損傷することがない。
【００４３】
コイル電極１０ａ，１０ｂはニッケル地のままでよく（半田ではＡｕ又はＣｕのコーティングが必要）、低コストである。クリーンであり、周囲を汚染する恐れがない（半田では微細な半田粒がコイル面に付着する恐れがある）。
【００４４】
本実施形態の光磁気ヘッド２では、ガラス板４に形成されたコイル電極１０ａ，１０ｂとＦＰＣ電極２４ａ，２４ｂの間を導電線２８ａ，２８ｂで接続した際に、ガラス板４を支えるのを主にＦＰＣシート１２が受け持つことができ、導電線２８ａ，２８ｂの断線を防止することができる。
【００４５】
次に、図６を参照して、本発明の光磁気ヘッドを採用した光磁気ディスク装置４０の概略構成について説明する。光磁気ディスク４２がスピンドルモータ４６で回転されるスピンドル４４に着脱可能に装着されている。
【００４６】
４８は固定光学アセンブリであり、レーザダイオード５０と、レーザダイオード５０から出射されたレーザビームをコリメートするコリメートレンズ５２と、偏光ビームスプリッタ５４と、図示しない光磁気信号用光検出器及びサーボ用の光検出器を含んでいる。
【００４７】
移動光学アセンブリ５６は、キャリッジ５８と、キャリッジ５８に取り付けられた光磁気ヘッド４及びビーム立ち上げミラー６４を有している。キャリッジ５６は、磁石６０とキャリッジ５８に取り付けられた図示しないコイルにより形成されるボイスコイルモータ（ＶＣＭ）により、一対のレール（１本のみ図示）６２に沿って光磁気ディスク４２の半径方向に移動される。
【００４８】
特に図示しないが、キャリッジ５６は光磁気ヘッド２を対物レンズユニット１４のフォーカス方向に駆動するフォーカスアクチュエータを有している。また、本実施形態の光磁気ディスク装置では、上述したＶＣＭがトラックアクチュエータを兼用する。
【００４９】
フレキシブルプリント配線シート（ＦＰＣシート）６６はＦＰＣシート１２の端子２６ａ，２６ｂを制御回路の形成されたプリント配線板６８に接続している。
【００５０】
ＦＰＣシート６６はコイル６及びフォーカスアクチュエータに駆動電流を供給する。７０はヘッドアンプであり、レーザダイオード５０に供給する駆動電流の制御及び各光検出器で検出したＭＯ信号又はサーボ信号の増幅を行う。
【００５１】
図７は図６に示した光磁気ディスク装置４０の光磁気ヘッド部分の拡大図である。ＦＰＣ１２は、図４に示すような状態で導電線２８ａがコイル電極１０ａ及びＦＰＣ電極２４ａに抵抗溶接された後、例えば図７に示すように二段階に折り曲げられて使用される。このような折り曲げは、ＦＰＣシート１２が可撓性を有するため、非常に容易である。
【００５２】
しかして、固定光学アセンブリ４８のレーザダイオード５０から出射されたライトパワーのレーザビームはコリメートレンズ５２によりコリメートされた後、偏光ビームスプリッタ５４を透過し、移動光学アセンブリ５６のビーム立ち上げミラー６４により反射されて、光磁気ヘッド２の対物レンズユニット１４により光磁気ディスク４２上にフォーカスされる。
【００５３】
これと同時に、光磁気ヘッド２のコイル６に書き込むべきデータで変調された駆動電流が供給されて、磁界変調によりビームスポットが照射されている光磁気ディスク４２にデータが書き込まれる。
【００５４】
一方、データの読み出しは、光磁気ディスク４２にリードパワーのレーザビームを照射することにより行われる。光磁気ディスク４２からの反射光は対物レンズユニット１４でコリメートビームにされた後、固定光学アセンブリ４８の偏光ビームスプリッタ５４により反射され、この反射光が光検出器で検出されて電気信号に変換される。
【００５５】
本発明は以下の付記を含むものである。
【００５６】
（付記１）  第１面、該第１面と反対側の第２面及び側面を有する透明基板と、
前記透明基板の第１面に形成された第１端及び第２端を有するコイルと、
前記コイルの第１端及び第２端にそれぞれ接続されるように前記透明基板の側面に設けられた一対の第１電極と、
前記透明基板の第２面に設けられた対物レンズユニットと、
前記対物レンズユニットが挿入される開口と、一対の導体パターンと、該各導体パターンの一端部に形成された一対の第２電極を有し、前記透明基板の第２面に設けられたフレキシブルプリント配線板シートと、
前記第１電極と前記第２電極を接続する一対の導電線と、
を具備したことを特徴とする光磁気ヘッド。
【００５７】
（付記２）  前記対物レンズユニットは、前記透明基板の第２面に搭載されたレンズホルダと、該レンズホルダに保持された第１レンズと、前記透明基板の第２面に設けられた第２レンズを含んでいる付記１記載の光磁気ヘッド。
【００５８】
（付記３）  前記第１及び第２レンズの光軸は前記コイルの中心に実質上一致している付記２記載の光磁気ヘッド。
【００５９】
（付記４）  前記導電線の各々は前記第１及び第２電極に溶接されている付記１記載の光磁気ヘッド。
【００６０】
（付記５）  前記導電線は金又は銅の何れかから形成される付記４記載の光ッ磁気ヘッド。
【００６１】
（付記６）  前記第１電極の各々はＮｉから形成される付記１記載の光磁気ヘッド。
【００６２】
（付記７）  光磁気ヘッドの組立方法であって、
第１端及び第２端を有するコイルが形成された第１面、該第１面と反対側の第２面及び側面を有する透明基板を用意し、
前記コイルの第１端及び第２端にそれぞれ接続されるように前記透明基板の側面に一対の第１電極を配置し、
前記透明基板の第２面に、開口と、一対の導体パターンと、該各導体パターンの一端部に形成された一対の第２電極を有するフレキシブルプリント配線シートを搭載し、
前記透明基板の第２面に前記フレキシブルプリント配線シートの開口を通して対物レンズユニットを配置し、
前記各第１電極と前記各第２電極に導電線を抵抗溶接する、
ステップを具備したことを特徴とする光磁気ヘッドの組立方法。
【００６３】
（付記８）  前記導電線の抵抗溶接ステップは、前記フレキシブルプリント配線シートを前記透明基板の前記側面と実質上同一平面となるように折り曲げた状態で実施される付記７記載の光磁気ヘッドの組立方法。
【００６４】
（付記９）  前記導電線の抵抗溶接ステップは、前記透明基板の前記第１面側の前記側面上に突き当て部材を載置し、前記導電線の一端部を該突き当て部材に突き当てて実施する付記８記載の光磁気ヘッドの組立方法。
【００６５】
（付記１０）  光磁気記録媒体に記録された情報を少なくとも読み出し可能な光磁気記憶装置であって、
前記光磁気記録媒体にビームスポットを形成すると共に、磁界を印加可能な光磁気ヘッドと、
前記光磁気記録媒体で反射された反射光から再生信号を生成する光検出器とを具備し、
前記光磁気ヘッドは、
第１面、該第１面と反対側の第２面及び側面を有する透明基板と、
前記透明基板の第１面に形成された第１端及び第２端を有するコイルと、
前記コイルの第１端及び第２端にそれぞれ接続されるように前記透明基板の側面に設けられた一対の第１電極と、
前記透明基板の第２面に設けられた対物レンズユニットと、
前記対物レンズユニットが挿入される開口と、一対の導体パターンと、該各導体パターンの一端部に形成された一対の第２電極を有し、前記透明基板の第２面に設けられたフレキシブルプリント配線シートと、
前記第１電極と前記第２電極を接続する一対の導電線と、
を具備したことを特徴とする光磁気記憶装置。
【００６６】
【発明の効果】
本発明の光磁気ヘッドは以上詳述したように構成したので、透明基板の一面に形成したコイルと透明基板を支持するＦＰＣシートに形成した導体パターンの間を簡単な構造で接続することができ、安価で信頼性の高い光磁気ヘッドを提供することができる。
【００６７】
更に、コイル電極とＦＰＣ電極の間を導電線で接続した際に、透明基板を支えるのを主にＦＰＣシートで受け持つことができ、導電線の断線を防止することができる。
【図面の簡単な説明】
【図１】本発明実施形態の光磁気ヘッド正面図である。
【図２】図１の右側面図である。
【図３】図１の左側面図である。
【図４】導電線の接続方法説明図である。
【図５】抵抗溶接方法を説明する図である。
【図６】本発明の光磁気ヘッドを採用した光磁気ディスク装置の概略構成図である。
【図７】光磁気ヘッド部分の拡大図である。
【符号の説明】
２  光磁気ヘッド
４  ガラス板
６  薄膜コイル
１０ａ，１０ｂ  コイル電極
１２  ＦＰＣシート
１４  対物レンズユニット
１６  レンズホルダ
１８  第１レンズ
２０  第２レンズ
２２ａ，２２ｂ  導体パターン
２４ａ，２４ｂ  ＦＰＣ電極
２８ａ，２８ｂ  導電線
３０ａ，３０ｂ  溶接電極
３６  溶接部
３８  突き当て部材
４２  光磁気ディスク
４８  固定光学アセンブリ
５０  レーザダイオード
５６  移動光学アセンブリ
５８  キャリッジ
【図１】
2004227700.tif 000003
【図２】
2004227700.tif 000004
【図３】
2004227700.tif 000005
【図４】
2004227700.tif 000006
【図５】
2004227700.tif 000007
【図６】
2004227700.tif 000008
【図７】
2004227700.tif 000009